(57)【要約】【課題】ヘルメット内に外気をスムーズに流入させ、或はヘルメット内の熱気を効果的に排出することを目的とする。【解決手段】中空軸４を一部に有する基板５上に蓋カバー６を開閉自在に支軸７で枢着してなる通風切換器３と頂部に空気入出孔２が設けられたヘルメット１とよりなり、通風切換器３の中空軸４をヘルメット１の空気入出孔２内に回転自在に取付けて構成したヘルメットの換気装置である。【選択図】　　　　図３
2004084098.tif 000002
【特許請求の範囲】
【請求項１】
中空軸を有する基板に蓋カバーを開閉自在に枢着してなる通風切換器と頂部に空気入出孔を有するヘルメットとよりなり、前記通風切換器の中空軸を該空気入出孔内に回転自在に取付けて構成したことを特徴としたヘルメットの換気装置。
【請求項２】
外周壁の対応する前後所定位置に空気入出用の切欠溝或は孔を有する中空軸をヘルメットの頂部の空気入出孔に挿通固定して起立突設し、外周壁の所定位置に切欠溝或は孔が設けられかつ前記中空軸に被蓋し得る蓋筒体を該中空軸に回転自在に取付けて構成したことを特徴としたヘルメットの換気装置。
【発明の詳細な説明】
【０００１】
【発明の属する技術分野】
本発明は、空気の入出切換手段の構造が簡単でかつ操作性が極めて良いヘルメットの換気装置に係り、特に蓋を回転させることによって、ヘルメット内に空気を流入させ、或はヘルメット内の熱気を外方に排出し、または水滴、空気、塵埃等の侵入を閉鎖し得るヘルメットの換気装置に関するものである。
【０００２】
【従来の技術】
従来、この種のヘルメットの換気装置に関しては、極めて多くの発明が開発され、特許出願されている。例えば、特開平８−１９９４１９号公報（第１公知技術）、特開平７−３５１６号公報（第２公知技術）、特開２００１−８９９２６号公報（第３公知技術）、特開平８−２９１４２２号公報（第４公知技術）、特開平９−１１１５２９号公報（第５公知技術）が知られている。
【０００３】
前記第１公知技術は、ヘルメットの頂部に穿設された空気入出孔にシーソー式に揺動するリッドを持った空気入出切換手段を設けた構造である。第２公知技術は、ヘルメットの頂部に後方に向ってＶ字型状に開く左右一対の案内壁を備えた気流分割体を固着し、走行風の気流を分割することによって負圧を生じさせるようにした技術である。
【０００４】
第３公知技術は、ヘルメット本体の所定位置に一対の孔を穿設すると共にヘルメット本体内にこれ等の孔に連通する通風路を設け、一方の孔より流出させた空気を他方の孔より排出することによって該通風路内に負圧を発生させてヘルメット内の熱気を排出するようにした構造である。
【０００５】
前記第４公知技術は、ヘルメットの頂部に通気路を穿設すると共に、その外方に前後方向が開放された庇状の誘導ダクトを取付け、さらに前記通気路を開閉し得る整流駒を誘導ダクトの天井にスライド可能な如く取付けた構造である。また、第５公知技術は、ヘルメットの頂部に設けられた通孔の前後に高さと巾が小さい壁と高さが大きい壁とを夫々起立突設して、該通孔に外気を取入れるようにした構造である。
【０００６】
【発明が解決しようとする課題】
然るに、前述の従来の公知技術は、全体的に構造が複雑であり、かつ空気の入出の操作性が不便である問題があった。特に必要に応じてヘルメット内に空気を流入させたり、或はヘルメット内の熱気を外方に排出したり、または水滴や空気がヘルメット内に侵入することを完全に閉鎖したりする切換が困難である問題があった。
【０００７】
本発明に係るヘルメットの換気装置は、前述の従来の多くの問題点を根本的に改善した全く新しい技術であって、特にヘルメットの頂部に設けた空気入出孔に中空軸を挿通し、かつこの中空軸自体或はこの中空軸に嵌着された蓋筒体を回転させることによって、ヘルメット内に外気を取入れたり、ヘルメット内の熱気を外部に排出したり、或は完全に閉鎖した状態に簡単に切換えて使用することが出来る構造のヘルメットの換気装置を提供するものである。
【０００８】
【課題を解決するための手段】
本発明に係るヘルメットの換気装置は、前述の従来の問題点を根本的に改善した全く新しい技術であって、その第１発明の要旨は、中空軸を有する基板に蓋カバーを開閉自在に枢着してなる通風切換器と頂部に空気入出孔を有するヘルメットとよりなり、前記通風切換器の中空軸を該空気入出孔内に回転自在に取付けて構成したことを特徴としたヘルメットの換気装置である。
【０００９】
前述の第１発明に於ては、中空軸を有する基板に蓋カバーを開閉自在に枢着して通風切換器を構成したので、蓋カバーを開くことによって空気を中空軸内に入出させ、蓋カバーを閉じることによって該中空軸内に空気が入出することを防止出来る。
【００１０】
また、前記通風切換器の中空軸をヘルメットの頂部に設けられた空気入出孔に回転自在に取付けて構成したので、走行中に通風切換器の蓋カバーを開いた状態で前側（走行方向）に向けた場合には、蓋カバー及び中空軸を介してヘルメット内に外気を流入させることが出来る。
【００１１】
さらに、走行中に前記蓋カバーを開いた状態で後側に向けた場合には、走行風による負圧によってヘルメット内の熱気を中空軸及び蓋カバーを介してヘルメットの外部に排出することが出来る。かつ、蓋カバーを閉じることによって、中空軸を閉鎖して、水滴や空気がヘルメット内に侵入することを防止出来る。
【００１２】
本発明に係るヘルメットの換気装置の第２発明の要旨は、外周壁の対応する前後所定位置に空気入出用の切欠溝或は孔を有する中空軸をヘルメットの頂部の空気入出孔に挿通固定して起立突設し、外周壁の所定位置に切欠溝或は孔が設けられかつ前記中空軸に被蓋し得る蓋筒体を該中空軸に回転自在に取付けて構成したことを特徴としたヘルメットの換気装置である。
【００１３】
前述の第２発明に於ては、外周壁の前後所定位置に空気入出用の切欠溝或は孔を有する中空軸をヘルメットの頂部の空気入出孔に挿通固定して取付けたので、前記切欠溝或は孔及び中空軸を介してヘルメット内に空気を入出することが出来る。
【００１４】
また、外周壁の所定位置に切欠溝或は孔が設けられた蓋筒体を前記中空軸に回転自在に被蓋して取付けたので、蓋筒体を回転させてその切欠溝或は孔と中空軸の前例の切欠溝或は孔とを合致させて走行した場合には、これ等の切欠溝或は孔及び中空軸を介して外気をヘルメット内に流入させることが出来る。
【００１５】
さらに、前記蓋筒体を回転してその切欠溝或は孔と中空軸の後側の切欠溝或は孔とを合致させて走行した場合には、走行風による負圧によってヘルメット内の熱気を中空軸及び蓋カバーを介して外部に排出することが出来る。かつ、蓋筒体を回転させて、蓋筒体の切欠溝或は孔を中空軸の外周面で閉鎖した場合には、水滴、空気がヘルメット内に侵入することを防止出来る。
【００１６】
【発明の実施の形態】
図により本発明に係るヘルメットの換気装置の一実施例を具体的に説明すると、図１は本発明に係る第１実施例の換気装置の外観図、図２は図１の換気装置に用いられる通風切換器の説明図、図３は図１の換気装置の使用状態を示す断面説明図、図４は第２実施例の換気装置の構成及び使用例を示す断面説明図である。。
【００１７】
図１乃至図４に於て、本発明に係る第１実施例の換気装置を説明すると、１はヘルメットであって、その頂部には内部に通ずる空気入出孔２が穿設されている。３は通風切換器であって、前記空気入出孔２に回転自在に挿通し得る中空軸４を一部に有する基板５上に、蓋カバー６を開閉自在に支軸７で枢着することによって構成されている。
【００１８】
従って、前記通風切換器３は、特に図３（ａ）、（ｂ）、（ｃ）によって明らかな如く、蓋カバー６が支軸７を中心に上昇して開いた場合には、庇状に開いた蓋カバー６より中空軸４の中に外気を流入させたり、或はヘルメット１内の熱気を中空軸４を介して外方に排気することが出来る。また、蓋カバー６を下降させて閉じた場合には、蓋カバー６で中空軸４を閉鎖することが出来る。
【００１９】
前述のように第１実施例の換気装置に於ては、通風切換器３の中空軸４がヘルメット１の空気入出孔２内に回転自在に挿通されているので、通風切換器３の蓋カバー６を開いた状態で通風切換器３をヘルメット１の前方に向けて走行した場合（図３（ａ）の状態）には、蓋カバー６及び中空軸４を介して外気をヘルメット１内に流入させることが出来る。
【００２０】
次に、蓋カバー６を押下げて閉じた場合（図３（ｂ）の状態）には、中空軸４を蓋カバー６で閉鎖し、中空軸４内に水滴、空気、塵埃等が侵入することを防止出来る。また、蓋カバー６を開いた状態で通風切換器３を回転させて、ヘルメット１の後方に向けて走行した場合（図３（ｃ）の状態）には、走行風による負圧によってヘルメット１内の熱気をヘルメット１の外部に排出することが出来る。
【００２１】
図４により本発明に係る第２実施例の換気装置８について説明すると、この換気装置８は、中空軸９と蓋筒体１０とによって構成されている。該中空軸９はヘルメット１の空気入出孔２内に貫通固定され、その中空軸９の上部はヘルメット１の上方に起立穿設されている。該中空軸９の外周壁の前後対応する位置には切欠溝１１、１２が夫々設けられている。
【００２２】
前記蓋筒体１０は、該中空軸９の周りに回転自在に嵌着し得る筒体１３とこの筒体１３の頂部に一体的に取付けられた庇１４とにより形成されている。該筒体１３の外周壁には、前記中空軸９の切欠軸９の切欠溝１１、１２に合致し得る孔１５が設けられている。
【００２３】
第２実施例の換気装置８に於ては、前述の構成を有するので、蓋筒体１０を中空軸９に沿って回転させて、筒体１３の孔１５と中空軸９の切欠溝１１、１２とを合致させた場合（図４の（Ａ）、（ｃ）の状態）には、中空軸９内に空気を入出させることが出来、蓋筒体１０を回転させて筒体１３の孔１５を中空軸９で閉鎖させた場合（図４（ｂ）の状態）には、中空軸９内に空気或は水滴、塵埃等を入出させることを防止出来る。
【００２４】
第２実施例の換気装置８を装着したヘルメット１を着用して走行する場合には、前記第１実施例の場合と同様に、次のような作用効果を奏することが出来る。即ち、蓋筒体１０を前方に向けた場合（図４（ａ）の状態）には、孔１５と切欠溝１１とを合致させて、外気を中空軸９を介してヘルメット１内に流入させることが出来る。
【００２５】
蓋筒体１０を後方に向けた場合（図４（ｃ）の状態）には、孔１５と切欠溝１２とを合致させ、走行による負圧によって、ヘルメット１内の熱気を外部に排出することが出来る。また、図４（ｂ）に示す如く、蓋筒体１０を横向きにした場合には、孔１５を中空軸９の外周壁で閉鎖するので、中空軸９内に空気、水滴、塵埃等が侵入することを防止出来る。
【００２６】
前記実施例に於ては、蓋筒体１０が筒体１３の頂部に庇１４を取付けて構成されているので、庇１４の作用で空気が中空軸９にスムーズに流入或は排出することが出来る。しかし、このような庇１４を省略して極めて単純なキャップ状の蓋にすることも可能である。また、上記実施例に於ては、中空軸９に切欠溝１１、１２を設けたが、この切欠溝１１、１２は孔にすることも可能である。同様に、筒体１３の孔１５は切欠溝にすることも可能である。
【００２７】
【発明の効果】
本発明に於ては、中空軸を有する基板に蓋カバーを開閉自在に枢着して通風切換器を構成したので、蓋カバーを開くことによって空気を中空軸内に入出させ、蓋カバーを閉じることによって該中空軸内に空気が入出することを防止出来る効果を有している。
【００２８】
また、前記通風切換器の中空軸をヘルメットの頂部に設けられた空気入出孔に回転自在に取付けて構成したので、走行中に通風切換器の蓋カバーを開いた状態で前側（走行方向）に向けた場合には、蓋カバー及び中空軸を介してヘルメット内に外気を流入させることが出来る効果も有している。
【００２９】
さらに、走行中に前記蓋カバーを開いた状態で後側に向けた場合には、走行風による負圧によってヘルメット内の熱気を中空軸及び蓋カバーを介してヘルメットの外部に排出することが出来る効果を有する。かつ、蓋カバーを閉じることによって、中空軸を閉鎖して、水滴や空気等がヘルメット内に侵入することを防止出来る効果も有している。
【００３０】
本発明に於て、外周壁の前後所定位置に空気入出用の切欠溝或は孔を有する中空軸をヘルメットの頂部の空気入出孔に挿通固定して取付けた場合には、前記切欠溝或は孔及び中空軸を介してヘルメット内に空気を入出することが出来る効果を有する。
【００３１】
また、外周壁の所定位置に切欠溝或は孔が設けられた蓋筒体を前記中空軸に回転自在に被蓋して取付けた場合には、蓋筒体を回転させてその切欠溝或は孔と中空軸の前例の切欠溝或は孔とを合致させて走行した場合には、これ等の切欠溝或は孔及び中空軸を介して外気をヘルメット内に流入させることが出来る効果も有している。
【００３２】
さらに、前記蓋筒体を回転してその切欠溝或は孔と中空軸の後側の切欠溝或は孔とを合致させて走行した場合には、走行風による負圧によってヘルメット内の熱気を中空軸及び蓋カバーを介して外部に排出することが出来る効果を有する。かつ、蓋筒体を回転させて、蓋筒体の切欠溝或は孔を中空軸の外周面で閉鎖した場合には、水滴、空気等がヘルメット内に侵入することを防止出来る効果も有している。
【図面の簡単な説明】
【図１】本発明に係る第１実施例の換気装置の外観図である。
【図２】図１の換気装置に用いられる通風切換器の説明図である。
【図３】図１の換気装置の使用状態を示す断面説明図である。
【図４】第２実施例の換気装置の構成及び使用例を示す断面説明図である。
【符号の説明】
１　　　　　…ヘルメット
２　　　　　…空気入出孔
３　　　　　…通風切換器
４　　　　　…中空軸
５　　　　　…基板
６　　　　　…蓋カバー
７　　　　　…支軸
８　　　　　…換気装置
９　　　　　…中空軸
１０　　…蓋筒体
１１　　　…切欠溝
１２　　　…切欠溝
１３　　…筒体
１４　　…庇
１５　　…孔
【図１】
2004084098.tif 000003
【図２】
2004084098.tif 000004
【図３】
2004084098.tif 000005
【図４】
2004084098.tif 000006